(57)【要約】【課題】角領域に位置した放電セルに十分なプラズマ放電を発生することができるプラズマディスプレイパネルを提供する。【解決手段】プラズマディスプレイパネル３００は、背面パネル３０３と、維持電極対３１２Ｐとを備える。背面パネル３０３は、その表面に、第１領域Ａ１と第２領域Ａ２とを有する。維持電極対３１２Ｐ１，３１２Ｐ２は、第１領域Ａ１及び第２領域Ａ２の上にそれぞれ形成されたスキャン電極３１２Ｙ１，３１２Ｙ２とサステイン電極３１２Ｚ１，３１２Ｚ２との対である。第１ギャップＧ３０１は、第２ギャップＧ３０２と異なる。第１ギャップＧ３０１は、第１領域Ａ１の上に形成された一つの維持電極対３１２Ｐ１を成すスキャン電極３１２Ｙ１とサステイン電極３１２Ｚ１との間のギャップである。第２ギャップＧ３０２は、第２領域Ａ２の上に形成された一つの維持電極対３１２Ｐ２を成すスキャン電極３１２Ｙ２とサステイン電極３１２Ｚ２との間のギャップである。【選択図】図３
2006216552.tif 000002
【特許請求の範囲】
【請求項１】
第１領域と第２領域とを有する基板と、
前記第１領域及び前記第２領域の上にそれぞれ形成されたスキャン電極とサステイン電極との対である維持電極対と、
を備え、
前記第１領域の上に形成された一つの維持電極対を成すスキャン電極とサステイン電極との間のギャップである第１ギャップは、前記第２領域の上に形成された一つの維持電極対を成すスキャン電極とサステイン電極との間のギャップである第２ギャップと異なる、
プラズマディスプレイパネル。
【請求項２】
前記第１領域は、前記基板の面積中心の付近に位置しており、
前記第２領域は、前記基板の面積中心と、前記基板においてシーリング材が接着された部分との間に位置しており、
前記第１ギャップは、前記第２ギャップより大きい、
請求項１に記載のプラズマディスプレイパネル。
【請求項３】
前記スキャン電極は、スキャンバス電極を有し、
前記サステイン電極は、サステインバス電極を有し、
前記第１ギャップは、前記第１領域において隣接する前記スキャンバス電極と前記サステインバス電極との間のギャップであり、
前記第２ギャップは、前記第２領域において隣接する前記スキャンバス電極と前記サステインバス電極との間のギャップである、
請求項１に記載のプラズマディスプレイパネル。
【請求項４】
前記スキャン電極は、スキャン透明電極を有し、
前記サステイン電極は、サステイン透明電極を有し、
前記第１ギャップは、前記第１領域において隣接する前記スキャン透明電極と前記サステイン透明電極との間のギャップであり、
前記第２ギャップは、前記第２領域において隣接する前記スキャン透明電極と前記サステイン透明電極との間のギャップである、
請求項１に記載のプラズマディスプレイパネル。
【請求項５】
前記第１ギャップと前記第２ギャップとの差は、２μｍ以上５μｍ以下である、
請求項１に記載のプラズマディスプレイパネル。
【請求項６】
前記第１ギャップは、６０μｍ以上６５μｍ以下であり、
前記第２ギャップは、５５μｍ以上６３μｍ以下である、
請求項１に記載のプラズマディスプレイパネル。
【請求項７】
前記第１ギャップと前記第２ギャップとの差は、２μｍ以上５μm以下である、
請求項４に記載のプラズマディスプレイパネル。
【請求項８】
前記第１ギャップは、６０μｍ以上６５μｍ以下であり、
前記第２ギャップは、５５μｍ以上６３μｍ以下である、 
請求項４に記載のプラズマディスプレイパネル。
【請求項９】
前記第２領域は、
前記基板の角の付近の領域である一つ以上の角領域を含む、
請求項２記載のプラズマディスプレイパネル。
【請求項１０】
前記第２領域の前記角領域は、前記基板において角の頂点から横３列×縦１０〜１５行の放電セルを含む、
請求項９記載のプラズマディスプレイパネル。
【請求項１１】
第１領域と第２領域とを有する基板と、
前記第1領域及び前記第２領域の上にそれぞれ形成されたスキャン電極とサステイン電極との対である維持電極対と、
を備え、
前記第1領域の上に形成された一つの維持電極対を成すスキャン電極とサステイン電極との間のギャップである第１ギャップは、前記第２領域の上に形成された一つの維持電極対を成すスキャン電極とサステイン電極との間のギャップである第２ギャップと異なり、
前記第２領域には、ガス注入口及びガス排気口の少なくとも一方が形成される、
プラズマディスプレイパネル。
【請求項１２】
前記第１領域は、前記基板の面積中心の付近に位置しており、
前記第２領域は、前記基板の面積中心と、前記基板においてシーリング材が接着された部分との間に位置しており、
前記第１ギャップは、前記第２ギャップより大きい、
請求項１１に記載のプラズマディスプレイパネル。
【請求項１３】
前記スキャン電極は、スキャンバス電極を有し、
前記サステイン電極は、サステインバス電極を有する、
前記第１ギャップは、前記第１領域において隣接する前記スキャンバス電極と前記サステインバス電極との間のギャップであり、
前記第２ギャップは、前記第２領域において隣接する前記スキャンバス電極と前記サステインバス電極との間のギャップである、
請求項１１記載のプラズマディスプレイパネル。
【請求項１４】
前記スキャン電極は、スキャン透明電極を有し、
前記サステイン電極は、サステイン透明電極を有する、
前記第１ギャップは、前記第１領域において隣接する前記スキャン透明電極と前記サステイン透明電極との間のギャップであり、
前記第２ギャップは、前記第２領域において隣接する前記スキャン透明電極と前記サステイン透明電極との間のギャップである、
請求項１１に記載のプラズマディスプレイパネル。
【請求項１５】
前記第１ギャップと前記第２ギャップとの差は、２μｍ以上５μｍ以下である、
請求項１１に記載のプラズマディスプレイパネル。
【請求項１６】
前記第１ギャップは、６０μｍ 以上６５μｍ以下であり、
前記第２ギャップは、５５μｍ 以上６３μｍ以下である、
請求項１１記載のプラズマディスプレイパネル。
【請求項１７】
前記第１ギャップと前記第２ギャップとの差は、２μｍ以上５μｍ以下である、
請求項１４に記載のプラズマディスプレイパネル。
【請求項１８】
前記第１ギャップは、６０μｍ以上６５μｍ以下であり、
前記第２ギャップは、５５μｍ以上６３μｍ以下である、
請求項１４に記載のプラズマディスプレイパネル。
【請求項１９】
前記第２領域は、
前記基板の角の付近の領域である一つ以上の角領域を含む、
請求項１２に記載のプラズマディスプレイパネル。
【請求項２０】
前記第２領域の前記角領域は、前記基板において角の頂点から横３列×縦１０〜１５行の放電セルを含む、
請求項１９に記載のプラズマディスプレイパネル。
【請求項２１】
前記ガス注入口及び前記ガス排気口の少なくとも一方は、前記横３列×縦１０〜１５行の放電セルのうち１以上の放電セルの近傍に形成される、
請求項２０に記載のプラズマディスプレイパネル。
【発明の詳細な説明】
【技術分野】
【０００１】
本発明はプラズマディスプレイパネルに関する。
【背景技術】
【０００２】
最近、陰極線管（Ｃａｔｈｏｄｅ  Ｒａｙ  Ｔｕｂｅ）に比べて重さと体積とを減らすことができる各種の平板表示装置が開発されている。平板表示装置には、液晶表示装置（Ｌｉｑｕｉｄ  Ｃｒｙｓｔａｌ  Ｄｉｓｐｌａｙ：ＬＣＤ）、電界放出表示装置（Ｆｉｅｌｄ  Ｅｍｉｓｓｉｏｎ  Ｄｉｓｐｌａｙ：ＦＥＤ）、プラズマディスプレイパネル（Ｐｌａｓｍａ  Ｄｉｓｐｌａｙ  Ｐａｎｅｌ：ＰＤＰ）及びエレクトロルミネセンス（Ｅｌｅｃｔｒｏ−Ｌｕｍｉｎｅｓｃｅｎｃｅ： ＥＬ）表示装置などがある。これらの内、プラズマディスプレイパネルは、気体放電を利用した表示素子として大型パネルの製作が易すく、 高輝度の画像を表示することができるという利点を持つ。
【０００３】
図１は、従来のプラズマディスプレイパネルを示す平面図である。図２は、図１に示すプラズマディスプレイパネルの放電セルを示すものである。
【０００４】
図１及び図２を参照すれば、従来のプラズマディスプレイパネル１００は、主として、前面パネル１０１と背面パネル１０３とを備える。前面パネル１０１は、主として、上部基板１０、スキャン電極１２Ｙ、サステイン電極１２Ｚ、上部誘電体層１４及び保護膜１６を有する。背面パネル１０３は、主として、背面基板１８、アドレス電極１２Ｘ、下部誘電体層２２、隔壁２４及び蛍光体２０を有する。プラズマディスプレイパネルの放電セルは、下部基板１８の上に形成されるアドレス電極１２Ｘと、上部基板１０の上に形成される維持電極対１２Ｐ、すなわちスキャン電極１２Ｙ及びサステイン電極１２Ｚとが、投影されて交差する部分（図１において交差する部分）に形成されている。
【０００５】
なお、図２では、説明の便宜上、背面パネル１０３が９０゜回転されたものが示されている。言い換えれば、図２では、スキャン電極１２Ｙ及びサステイン電極１２Ｚと垂直に交わる面で前面パネル１０１が切断された断面図と、アドレス電極１２Ｘと垂直に交わる面で背面パネル１０３が切断された断面図とが示されている。
【０００６】
アドレス電極１２Ｘが形成された下部基板１８の上には、壁電荷蓄積のための下部誘電体層２２が、アドレス電極１２Ｘを覆うように形成される。下部誘電体層２２の上には、その表面から前面パネル１０１へ向かう方向へ延びるとともに、アドレス電極１２Ｘの長手方向と略平行に延びるように、隔壁２４が形成されている。下部誘電体層２２と隔壁２４との表面には、長手方向に垂直な断面視において略チャネル形状になるように、蛍光体２０が塗布される。
【０００７】
隔壁２４は、放電によって生成された紫外線及び可視光線が、隣接した放電セルに漏洩することを防止する。蛍光体２０は、ガス放電の際に発生した紫外線によって励起されて、赤色、緑色または青色の中で何れか一つの可視光線を発生する。上部基板１０、下部基板１８及び隔壁２４によって形成された放電空間にはガス放電のための不活性ガスが注入されている。
【０００８】
上部基板１０の上に形成されるスキャン電極１２Ｙ及びサステイン電極１２Ｚのそれぞれは、透明電極１２ａとバス電極１２ｂとを含み、アドレス電極１２Ｘが投影されて交差している。
【０００９】
透明電極１２ａは、放電セルから供給される光を透過するように透明導電性物質で形成される。バス電極１２ｂは、小さな抵抗を持つ金属物質で形成されている。
【００１０】
スキャン電極１２Ｙ及びサステイン電極１２Ｚが形成される上部基板１０の上には、スキャン電極１２Ｙ及びサステイン電極１２Ｚを覆うように、上部誘電体層１４が形成されている。また、上部誘電体層１４の上には、保護膜１６が形成される。上部誘電体層１４には、プラズマ放電の際に発生する壁電荷が蓄積される。
【００１１】
保護膜１６は、プラズマ放電の際に発生するイオンのスパッタリング（ｓｐｕｔｔｅｒｉｎｇ）による上部誘電体層１４の損傷を防止して、２次電子の放出效率を高める。保護膜１６は、通常酸化マグネシウム（ＭｇＯ）で形成される。
【００１２】
従来のプラズマディスプレイパネル１００では、アドレス電極１２Ｘとスキャン電極１２Ｙとの間の対向放電（プラズマ放電）によって放電セルが選択された後、スキャン電極１２Ｙとサステイン電極１２Ｚとの間の面放電によってプラズマ放電が維持される。蛍光体２０は、放電セルでプラズマ放電が維持される際に発生する紫外線によって励起されて、赤色、緑色または青色の中で何れか一つの可視光線を放出する。放電セルで放電が維持される期間を調節することで、可視光線の強度が調節され、階調が実現される。
【発明の開示】
【発明が解決しようとする課題】
【００１３】
従来のプラズマディスプレイパネル１００では、角領域（上部基板１０の角付近の領域）に位置した放電セルに駆動電圧が印加されても、放電が起きないことがある。すなわち、放電空間内の空気及び不純物(例えば、ＭｇＯのパーティクル)が外部に排出される排気工程または不活性ガスが導入されるガス導入工程において、放電セルのスキャン電極１２Ｙ及びサステイン電極１２Ｚの表面に異物が附着することがある。この場合、スキャン電極１２Ｙ及びサステイン電極１２Ｚの表面に残存する異物により、その放電セルに駆動電圧が印加されても、十分なプラズマ放電が発生しないことがある。
【００１４】
本発明の目的は、角領域に位置した放電セルに十分なプラズマ放電を発生することができるプラズマディスプレイパネルを提供することにある。
【課題を解決するための手段】
【００１５】
第１発明に係るプラズマディスプレイパネルは、基板と、維持電極対とを備える。基板は、第１領域と第２領域とを有する。維持電極対は、第１領域及び第２領域の上にそれぞれ形成されたスキャン電極とサステイン電極との対である。第１ギャップは、第２ギャップと異なる。第１ギャップは、第１領域の上に形成された一つの維持電極対を成すスキャン電極とサステイン電極との間のギャップである。第２ギャップは、第２領域の上に形成された一つの維持電極対を成すスキャン電極とサステイン電極との間のギャップである。
【００１６】
第２発明に係るプラズマディスプレイパネルは、第１発明のプラズマディスプレイパネルであって、第１領域は、基板の面積中心の付近に位置している。第２領域は、基板の面積中心と、基板においてシーリング材が接着された部分との間に位置している。第１ギャップは、第２ギャップより大きい。
【００１７】
第３発明に係るプラズマディスプレイパネルは、第１発明のプラズマディスプレイパネルであって、スキャン電極は、スキャンバス電極を有する。サステイン電極は、サステインバス電極を有する。第１ギャップは、第１領域において隣接するスキャンバス電極とサステインバス電極との間のギャップである。第２ギャップは、第２領域において隣接するスキャンバス電極と記サステインバス電極との間のギャップである。
【００１８】
第４発明に係るプラズマディスプレイパネルは、第１発明のプラズマディスプレイパネルであって、スキャン電極は、スキャン透明電極を有する。サステイン電極は、サステイン透明電極を有する。第１ギャップは、第１領域において隣接するスキャン透明電極とサステイン透明電極との間のギャップである。第２ギャップは、第２領域において隣接するスキャン透明電極とサステイン透明電極との間のギャップである。
【００１９】
第５発明に係るプラズマディスプレイパネルは、第１発明のプラズマディスプレイパネルであって、第１ギャップと第２ギャップとの差は、２μｍ以上５μｍ以下である。
【００２０】
第６発明に係るプラズマディスプレイパネルは、第１発明のプラズマディスプレイパネルであって、第１ギャップは、６０μｍ以上６５μｍ以下である。第２ギャップは、５５μｍ以上６３μｍ以下である。
【００２１】
第７発明に係るプラズマディスプレイパネルは、第４発明のプラズマディスプレイパネルであって、第１ギャップと第２ギャップとの差は、２μｍ以上５μm以下である。
【００２２】
第８発明に係るプラズマディスプレイパネルは、第４発明のプラズマディスプレイパネルであって、第１ギャップは、６０μｍ以上６５μｍ以下である。第２ギャップは、５５μｍ以上６３μｍ以下である。
【００２３】
第９発明に係るプラズマディスプレイパネルは、第２発明のプラズマディスプレイパネルであって、第２領域は、一つ以上の角領域を含む。角領域は、基板の角の付近の領域である。
【００２４】
第１０発明に係るプラズマディスプレイパネルは、第９発明のプラズマディスプレイパネルであって、第２領域の角領域は、基板において角の頂点から横３列×縦１０〜１５行の放電セルを含む。
【００２５】
第１１発明に係るプラズマディスプレイパネルは、基板と、維持電極対とを備える。基板は、第１領域と第２領域とを有する。維持電極対は、第1領域及び第２領域の上にそれぞれ形成されたスキャン電極とサステイン電極との対である。第１ギャップは、第２ギャップと異なる。第１ギャップは、第1領域の上に形成された一つの維持電極対を成すスキャン電極とサステイン電極との間のギャップである。第２ギャップは、第２領域の上に形成された一つの維持電極対を成すスキャン電極とサステイン電極との間のギャップである。第２領域には、ガス注入口及びガスの少なくとも一方が形成される。
【００２６】
第１２発明に係るプラズマディスプレイパネルは、第１１発明のプラズマディスプレイパネルであって、第１領域は、基板の面積中心の付近に位置している。第２領域とは、基板の面積中心と、基板においてシーリング材が接着された部分との間に位置している。第１ギャップは、第２ギャップより大きい。
【００２７】
第１３発明に係るプラズマディスプレイパネルは、第１１発明のプラズマディスプレイパネルであって、スキャン電極は、スキャンバス電極を有する。サステイン電極は、サステインバス電極を有する。第１ギャップは、第１領域において隣接するスキャンバス電極とサステインバス電極との間のギャップである。第２ギャップは、第２領域において隣接するスキャンバス電極とサステインバス電極との間のギャップである。
【００２８】
第１４発明に係るプラズマディスプレイパネルは、第１１発明のプラズマディスプレイパネルであって、スキャン電極は、スキャン透明電極を有する。サステイン電極は、サステイン透明電極を有する。第１ギャップは、第１領域において隣接するスキャン透明電極とサステイン透明電極との間のギャップである。第２ギャップは、第２領域において隣接するスキャン透明電極とサステイン透明電極との間のギャップである。
【００２９】
第１５発明に係るプラズマディスプレイパネルは、第１１発明のプラズマディスプレイパネルであって、第１ギャップと第２ギャップとの差は、２μｍ以上５μｍ以下である。
【００３０】
第１６発明に係るプラズマディスプレイパネルは、第１１発明のプラズマディスプレイパネルであって、第１ギャップは、６０μｍ 以上６５μｍ以下である。第２ギャップは、５５μｍ以上６３μｍ以下である。
【００３１】
第１７発明に係るプラズマディスプレイパネルは、第１４発明のプラズマディスプレイパネルであって、第１ギャップと第２ギャップとの差は、２μｍ以上５μｍ以下である。
【００３２】
第１８発明に係るプラズマディスプレイパネルは、第１４発明のプラズマディスプレイパネルであって、第１ギャップは、６０μｍ以上６５μｍ以下である。第２ギャップは、５５μｍ以上６３μｍ以下である。
【００３３】
第１９発明に係るプラズマディスプレイパネルは、第１２発明のプラズマディスプレイパネルであって、第２領域は、一つ以上の角領域を含む。角領域は、基板の角の付近の領域である。
【００３４】
第２０発明に係るプラズマディスプレイパネルは、第１９発明のプラズマディスプレイパネルであって、第２領域の角領域は、基板において角の頂点から横３列×縦１０〜１５行の放電セルを含む。
【００３５】
第２１発明に係るプラズマディスプレイパネルは、第２０発明のプラズマディスプレイパネルであって、ガス注入口及びガス排気口の少なくとも一方は、横３列×縦１０〜１５行の放電セルのうち１以上の放電セルの近傍に形成される。
【発明を実施するための最良の形態】
【００３６】
以下では本発明による具体的な実施形態を、添付された図面を参照して説明する。
【００３７】
＜第１実施形態＞
（プラズマディスプレイパネルの概略構成及び概略動作）
図３は本発明の第１実施形態によるプラズマディスプレイパネルを示すものである。 図３に示すように、プラズマディスプレイパネル３００は、主として、前面パネル３０１、背面パネル３０３及び接着シーリング材３１０を備える。 シーリング材３１０は、前面パネル３０１と背面パネル３０３とを接着するとともに、前面パネル３０１と背面パネル３０３との隙間をシールしている。シーリング材３１０を介して前面パネル３０１と背面パネル３０３とが接着された後には、前面パネル３０１と背面パネル３０３との間に形成されている放電空間（図２参照）に存在する空気及び不純物が排出されて（排気行程）、放電のための不活性ガスが導入される（ガス導入工程）。
【００３８】
プラズマディスプレイパネル３００は、背面パネル３０３に排気口３０５と注入口３０７とがさらに形成されている点で、従来のプラズマディスプレイパネル１００（図１，図２参照）と異なる。排気口３０５は、放電空間に存在する空気または不純物が排出されるように、背面パネル３０３の表面から裏面へ貫通して形成されている。注入口３０７は、不活性ガスが導入されるように、背面パネル３０３の表面から裏面へ貫通して形成されている。排気口３０５及び注入口３０７は、それぞれ、背面パネル３０３の表面（前面パネル３０１へ向く面）の面積中心ＡＣと、背面パネル３０３の表面においてシーリング材３１０が接する領域ＴＡ（斜線部分）との間に位置する一つ以上の第２領域Ａ２（の角領域（ＣＡ））に形成される。一つ以上の第２領域Ａ２は、一つ以上の角領域（ＣＡ）を含む。一つ以上の角領域（ＣＡ）は、背面パネル３０３の表面の面積中心ＡＣとシーリング材３１０が接する領域ＴＡとの間に位置している。排気口３０５及び注入口３０７は、この角領域（ＣＡ）に形成される。
【００３９】
なお、排気口３０５及び注入口３０７は、一つの角領域（ＣＡ）に同時に形成されていてもよい。あるいは、排気口３０５が一つの角領域（ＣＡ）に形成され、注入口３０７が他の一つの角領域（ＣＡ）に形成されていてもよい。排気口３０５及び注入口３０７の数は、それぞれ、１つでも複数でも良い。
【００４０】
また、角領域（ＣＡ）は、シーリング材３１０周辺にダミーセル（ｄｕｍｍｙ  ｃｅｌｌ）が存在する場合、角領域（ＣＡ）そのダミーセルが形成された領域に含まれないようになっていてもよい。
【００４１】
ここで、第２電極間ギャップＧ３０２は、後述のように、第１電極間ギャップと異なる。第２電極間ギャップは、第２領域Ａ２に形成された維持電極対３１２Ｐ２におけるスキャン電極３１２Ｙ２とサステイン電極３１２Ｚ２との間のギャップである。第１電極間ギャップＧ３０２は、第１領域（Ａ１）に形成された維持電極対３１２Ｐ１におけるスキャン電極３１２Ｙ１とサステイン電極３１２Ｚ１との間のギャップである。第１領域（Ａ１）は、背面パネル３０３の表面（前面パネル３０１へ向く面）の面積中心ＡＣ付近の領域であり、排気口３０５及び注入口３０７が形成されていない領域である。これに対する詳細な説明は、図４と図５とを参照して後述する。
【００４２】
（角領域の詳細構成）
図８は、角領域（ＣＡ）の構成を示す図である。図８を参照すれば、角領域（ＣＡ）は、Ｒ（赤色），Ｇ（緑色）及びＢ（青色）の放電セルが１０〜１５行に配列された合計３０〜４５個の放電セルを含むことが分かる。
【００４３】
すなわち、角領域（ＣＡ）が図面上で左上にあれば（図３参照）、左端から３列であって上端から１０〜１５行の放電セルが角領域（ＣＡ）に含まれる。角領域（ＣＡ）が図面上で左下にあれば（図３参照）、左端から３列であって下端から１０〜１５行の放電セルが角領域（ＣＡ）に含まれる。角領域（ＣＡ）が図面上で右上にあれば（図３参照）、右端から３列であって上端から１０〜１５行の放電セルが角領域（ＣＡ）に含まれる。角領域（ＣＡ）が図面上で右下にあれば（図３参照）、右端から３列であって下端から１０〜１５行の放電セルが角領域（ＣＡ）に含まれる。
【００４４】
従来のプラズマディスプレイパネル１００では、これらの放電セルにおいて、不純物に起因した未点灯現象が発生することがある。
【００４５】
それに対して、本発明では、以下のような構成により、これらの放電セルにおいて、不純物に起因した未点灯現象が発生することが低減されている。
【００４６】
また、これらの放電セルのうち１以上の放電セルの近傍に排気口３０５が形成されるので、排気行程において、その１以上の放電セルに面したスキャン電極３１２Ｙ２やサステイン電極３１２Ｚ２の表面に異物が付着することが低減される。また、これらの放電セルのうち１以上の放電セルの近傍に注入口３０７が形成されるので、ガス導入行程において、その１以上の放電セルに面したスキャン電極３１２Ｙ２やサステイン電極３１２Ｚ２の表面に異物が付着することが低減される。
【００４７】
（電極の詳細構成及び詳細動作）
図４及び図５は、本発明の第１実施形態によるプラズマディスプレイパネルに形成された電極の構造を示す。すなわち、図４は、本発明の第１実施形態によるプラズマディスプレイパネルの第１領域Ａ１（図３参照）に形成された電極の構造を示し、図５は、本発明の第１実施形態によるプラズマディスプレイパネルの第２領域Ａ２（図３参照）に形成された電極の構造を示す。
【００４８】
図４及び図５に示すように、本発明の第１実施形態によるプラズマディスプレイパネル３００では、第１領域Ａ１付近の放電セルに放電が発生するように駆動電圧が印加される維持電極対３１２Ｐ１（スキャン電極３１２Ｙ１及びサステイン電極３１２Ｚ１）が形成され、第２領域Ａ２付近の放電セルに放電が発生するように駆動電圧が印加される維持電極対３１２Ｐ２（スキャン電極３１２Ｙ２及びサステイン電極３１２Ｚ２）が形成される。各維持電極対（３１２Ｐ１，３１２Ｐ２）は透明電極（３１２ａ１ｙ，３１２ａ１ｚ，３１２ａ２ｙ，３１２ａ２ｚ）及びバス電極（１２ｂ）を含む。なお、図４及び図５に示すように、隔壁３２４は、上面視において、透明電極（３１２ａ１ｙ，３１２ａ１ｚ，３１２ａ２ｙ，３１２ａ２ｚ）を囲むように形成されている点で、従来のプラズマディスプレイパネル１００における隔壁２４と異なる。このような隔壁３２４により仕切られた各領域が、各放電セルとなる。
【００４９】
図４及び図５に示すように、第１領域Ａ１（図３参照）に形成された維持電極対（３１２Ｐ１）における第１ギャップ（Ｇ３０１） は、第２領域Ａ２（図３参照）に含まれた角領域（ＣＡ）に形成された維持電極対（３１２Ｐ２）における第２ギャップ（Ｇ３０２）より大きい。すなわち、第１領域Ａ１に形成されたスキャン電極３１２Ｙ１の透明電極３１２ａ１ｙとサステイン電極３１２Ｚ１の透明電極３１２ａ１ｚとの間のギャップである第１ギャップ（Ｇ３０１） は、第２領域Ａ２に含まれた角領域（ＣＡ）に形成されたスキャン電極３１２Ｙ２の透明電極３１２ａ２ｙとサステイン電極３１２Ｚ１の透明電極３１２ａ２ｚとの間のギャップである第２ギャップ（Ｇ３０２）より大きい。
【００５０】
ここで、第２ギャップ（Ｇ３０２）は、第１ギャップ（Ｇ３０１） よりも２μｍ以上５μｍ以下だけ小さくなるように形成されることが好ましい。また、第１ギャップ（Ｇ３０１）は６０μｍ以上６５μｍ以下であることが好ましく、第２ギャップ（Ｇ３０２）は５５μｍ以上６３μｍ以下であることが好ましい。
【００５１】
（プラズマディスプレイパネルにおける特徴）
以上のように、第２領域（Ａ２）の角領域（ＣＡ）に形成されるスキャン電極３１２Ｙ２とサステイン電極３１２Ｚ２との間のギャップである第２ギャップ（Ｇ３０２）は、第１領域（Ａ１）に形成されるスキャン電極３１２Ｙ１とサステイン電極３１２Ｚ１との間のギャップである第１ギャップ（Ｇ３０１）より小さくなっている。これにより、第２領域（Ａ２）の角領域（ＣＡ）付近において放電セルに発生する放電が強められるため、角領域（ＣＡ）に形成されたスキャン電極とサステイン電極の表面に異物が附着していても、角領域（ＣＡ）に位置した放電セルに十分なプラズマ放電が発生するようになる。すなわち、放電が起きない現象が低減される。
【００５２】
また、第２領域（Ａ２）の角領域（ＣＡ）に排気口３０５及び注入口３０７が形成されているので、角領域（ＣＡ）の放電セルにおいてスキャン電極３１２Ｙ２やサステイン電極３１２Ｚ２の表面に異物が付着することを低減できる。これにより、角領域（ＣＡ）に位置した放電セルにさらに十分なプラズマ放電が発生するようになり、放電が起きない現象がさらに低減される。
【００５３】
＜第２実施形態＞
図６及び図７は、本発明の第２実施形態によるプラズマディスプレイパネルに形成された電極の構造を示す。すなわち、図６は、本発明の第２実施形態によるプラズマディスプレイパネル４００の第１領域Ａ１（図３参照）に形成された電極の構造を示し、図７は、本発明の第２実施形態によるプラズマディスプレイパネル４００の第２領域Ａ２（図３参照）に形成された電極の構造を示す。なお、第１実施形態と同様の構成要素は、同じ符号で示し、説明を省略する。
【００５４】
（プラズマディスプレイパネルの概略構成及び概略動作）
第１実施形態と同様である。
【００５５】
（電極の詳細構成及び詳細動作）
図６及び図７に示すように、本発明の第２実施形態によるプラズマディスプレイパネル４００では、第１領域Ａ１付近の放電セルに放電が発生するように駆動電圧が印加される維持電極対４１２Ｐ１（スキャン電極４１２Ｙ１及びサステイン電極４１２Ｚ１）が形成され、第２領域Ａ２付近の放電セルに放電が発生するように駆動電圧が印加される維持電極対４１２Ｐ２（スキャン電極４１２Ｙ２及びサステイン電極４１２Ｚ２）が形成される。各維持電極対（４１２Ｐ１，４１２Ｐ２）は、バス電極（１２ｂ）の代わりにバス電極（４１２ｂ１ｙ，４１２ｂ１ｚ）を含み、透明電極（３１２ａ１ｙ，３１２ａ１ｚ，３１２ａ２ｙ，３１２ａ２ｚ）を含まない点で、第１実施形態と異なる。
【００５６】
図６及び図７に示すように、第１領域Ａ1（図３参照）に形成された維持電極対（４１２Ｐ１）における第１ギャップ（Ｇ４０１）は、第２領域Ａ２（図３参照）に含まれた角領域（ＣＡ）に形成された維持電極対（４１２Ｐ２）における第２ギャップ（Ｇ４０２）より大きい。すなわち、第１領域Ａ１に形成されたスキャン電極４１２Ｙ１のバス電極４１２ｂ１ｙとサステイン電極４１２Ｚ１のバス電極４１２ｂ１ｚとの間のギャップである第１ギャップ（Ｇ４０１）は、第２領域Ａ２に含まれた角領域（ＣＡ）に形成されたスキャン電極４１２Ｙ２のバス電極４１２ｂ２ｙとサステイン電極４１２Ｚ１のバス電極４１２ｂ２ｚとの間のギャップである第２ギャップ（Ｇ４０２）より大きい。
【００５７】
ここで、第２ギャップ（Ｇ４０２）は、第１ギャップ（Ｇ４０１）よりも２μｍ 以上５μｍ以下だけ小さくなるように形成されることが好ましい。また、第１ギャップ（Ｇ４０１）は６０μｍ以上６５μｍ 以下であることが好ましく、第２ギャップ（Ｇ４０２）は５５μｍ以上６３μｍ以下であることが好ましい。 
【００５８】
（プラズマディスプレイパネルにおける特徴）
以上のように、第２領域（Ａ２）の角領域（ＣＡ）に形成されるスキャン電極４１２Ｙ２とサステイン電極４１２Ｚ２との間のギャップである第２ギャップ（Ｇ４０２)は、第１領域（Ａ１）に形成されるスキャン電極４１２Ｙ１とサステイン電極４１２Ｚ１との間の第１ギャップ（Ｇ４０１）より小さくなっている。これにより、第２領域（Ａ２）の角領域（ＣＡ）付近において放電セルに発生する放電が強められるため、角領域（ＣＡ）に形成されたスキャン電極とサステイン電極の表面に異物が附着していても、角領域（ＣＡ）に位置した放電セルに十分なプラズマ放電が発生するようになる。すなわち、放電が起きない現象が低減される。
【図面の簡単な説明】
【００５９】
【図１】従来のプラズマディスプレイパネルを示す平面図。
【図２】図１に示すプラズマディスプレイパネルの放電セルを示す図。
【図３】本発明の第１実施形態によるプラズマディスプレイパネルを示す図。
【図４】本発明の第１実施形態によるプラズマディスプレイパネルの第１領域に形成された電極の構造を示す図。
【図５】本発明の第１実施形態によるプラズマディスプレイパネルの第２領域に形成された電極の構造を示す図。
【図６】本発明の第２実施形態によるプラズマディスプレイパネルの第１領域に形成された電極の構造を示す図。
【図７】本発明の第２実施形態によるプラズマディスプレイパネルの第２領域に形成された電極の構造を示す図。
【図８】角領域の構成を示す図。
【図１】
2006216552.tif 000003
【図２】
2006216552.tif 000004
【図３】
2006216552.tif 000005
【図４】
2006216552.tif 000006
【図５】
2006216552.tif 000007
【図６】
2006216552.tif 000008
【図７】
2006216552.tif 000009
【図８】
2006216552.tif 000010